(57)【要約】【課題】  理想的な正しい睡眠をとるための枕を提供することにある。【解決手段】  カバー部材（図示省略）を被せることで枕を構成する枕用芯材１０であり、その中央部分に頭部を支持する頭部支持部２０と、頭部支持部２０の下端側に首部を支持する首部支持部３０を備える。また、頭部支持部２０および首部支持部３０の両側には、サイド部４０，４０を設ける。さらに、頭部支持部２０には後頭部フィットラインを、頭部支持部２０と首部支持部３０の境目には首フィットラインを、枕用芯材１０の下端側１３には肩フィットラインを形成した。【選択図】  図１
0003109464.tif 000002
【実用新案登録請求の範囲】
【請求項１】
カバー部材を被せることで枕を構成する枕用芯材であって、
頭部を支持する頭部支持部と、頭部支持部の下端側に首部を支持する首部支持部と、頭部支持部および首部支持部の両側に設けられたサイド部とを備えた枕用芯材。
【請求項２】
頭部支持部の縦中心線上に凹状の後頭部フィットラインを形成した請求項１記載の枕用芯材。
【請求項３】
頭部支持部と首部支持部の境目を湾曲させて首フィットラインを形成した請求項１又は２記載の枕用芯材。
【請求項４】
枕用芯材の下端側を湾曲させて肩フィットラインを形成した請求項１から３のいずれかに記載の枕用芯材。
【請求項５】
頭部支持部，首部支持部，サイド部は、それぞれ袋状に形成され、その中に詰物を詰め込み膨出させた請求項１から４のいずれかに記載の枕用芯材。
【請求項６】
詰物は、ウールノップス，パイプ材，ビーズ材を単独又は組み合わせて使用した請求項５記載の枕用芯材。
【請求項７】
カバー部材とのずれを防止するために、１又は２以上の面ファスナーを備えた請求項１から６のいずれかに記載の枕用芯材。
【請求項８】
請求項１から７のいずれかに記載の枕用芯材にカバー部材を被せて構成される枕。
【請求項９】
頭部を支持する頭部支持部と、頭部支持部の下端側に首部を支持する首部支持部と、頭部支持部および首部支持部の両側に設けられたサイド部とを備えた枕。
【請求項１０】
頭部支持部の縦中心線上に凹状の後頭部フィットラインを形成した請求項９記載の枕。
【請求項１１】
頭部支持部と首部支持部の境目を湾曲させて首フィットラインを形成した請求項９又は１０記載の枕。
【請求項１２】
枕用芯材の下端側を湾曲させて肩フィットラインを形成した請求項９から１１のいずれかに記載の枕。
【請求項１３】
頭部支持部，首部支持部，サイド部は、それぞれ袋状に形成され、その中に詰物を詰め込み膨出させた請求項９から１２のいずれかに記載の枕。
【請求項１４】
詰物は、ウールノップス，パイプ材，ビーズ材を単独又は組み合わせて使用した請求項１３記載の枕。
【考案の詳細な説明】
【技術分野】
【０００１】
本考案は、理想的な正しい睡眠をとることのできる枕に関する技術である。
【背景技術】
【０００２】
睡眠時間のとれない現代人にあっては、質の良い睡眠をとることが重要となってくる。
しかしながら、正しい枕をしていないために、腰痛や肩こり・浅い呼吸の胸呼吸などにより全身が疲れてしまっている人が結構多く、また、健康面だけでなく、首のシワの原因など美容上の問題になることもある。このような観点から、近年枕に対する関心が高く、特許文献１に記載されているような、体形にフィットした自然な状態で就寝できる枕などが種々開発されている。
【０００３】
【特許文献１】特開２０００−３５０６４９号公報
【考案の開示】
【考案が解決しようとする課題】
【０００４】
理想的な正しい睡眠とは、全身がリラックスし、ゆったりと腹式呼吸のできる自然な姿勢をとることにある。ゆっくりと深い呼吸のできる腹式呼吸は、眠りの呼吸とも言え、精神的にも安らぎのある呼吸である。また、腹式呼吸は鼻呼吸になるので、感染症の問題やいびきの緩和にもなる。本考案者は、この理想的な正しい睡眠をとるための枕に関する技術を提供するものである。
【課題を解決するための手段】
【０００５】
そこで、第１の考案は、カバー部材を被せることで枕を構成する枕用芯材であって、頭部を支持する頭部支持部と、頭部支持部の下端側に首部を支持する首部支持部と、頭部支持部および首部支持部の両側に設けられたサイド部とを備えたことを特徴とするものである。
第２の考案は、頭部支持部の縦中心線上に凹状の後頭部フィットラインを形成したことを特徴とするものであり、第３の考案は、頭部支持部と首部支持部の境目を湾曲させて首フィットラインを形成したことを特徴とするものであり、第４の考案は、枕用芯材の下端側を湾曲させて肩フィットラインを形成したことを特徴とするものである。
第５の考案は、頭部支持部，首部支持部，サイド部は、それぞれ袋状に形成され、その中に詰物を詰め込み膨出させたことを特徴とするものであり、第６の考案は、詰物が、ウールノップス，パイプ材，ビーズ材を単独又は組み合わせて使用したことを特徴とするものである。
第７の考案は、カバー部材とのずれを防止するために、１又は２以上の面ファスナーを備えたことを特徴とするものである。
第８の考案は、上記第１から７の枕用芯材にカバー部材を被せて構成される枕であることを特徴とするものである。
【０００６】
また、第９の考案は、頭部を支持する頭部支持部と、頭部支持部の下端側に首部を支持する首部支持部と、頭部支持部および首部支持部の両側に設けられたサイド部とを備えた枕であることを特徴とするものである。
第１０の考案は、頭部支持部の縦中心線上に凹状の後頭部フィットラインを形成したことを特徴とするものであり、第１１の考案は、頭部支持部と首部支持部の境目を湾曲させて首フィットラインを形成したことを特徴とするものであり、第１２の考案は、枕用芯材の下端側を湾曲させて肩フィットラインを形成したことを特徴とするものである。
第１３の考案は、頭部支持部，首部支持部，サイド部は、それぞれ袋状に形成され、その中に詰物を詰め込み膨出させたことを特徴とするものであり、第１４の考案は、詰物は、ウールノップス，パイプ材，ビーズ材を単独又は組み合わせて使用したことを特徴とするものである。
【考案の効果】
【０００７】
本考案によれば、以下のような効果を有する。
（１）枕用芯材又は枕に、頭部を支持する頭部支持部と、頭部支持部の下端側に首部を支持する首部支持部を備えることで、首に負担をかけずに、正しい頸椎バランスを保つことができる。また、頭部支持部および首部支持部の両側にサイド部を備えることで、横向き寝や寝返りをうっても頭をしっかりと支えることができる。
（２）同様に、頭部支持部に後頭部フィットラインを形成したことで、枕と後頭部のなじみが良くなり、寝返り時もスムーズに頭を動かすことができる。また、頭部支持部と首部支持部の境目に首フィットラインを形成したことで、枕と首のラインがフィットし、違和感なく楽に仰向け寝ができる。さらに、枕用芯材の下端側に肩フィットラインを形成したことで、枕と肩ラインがフィットすることにより枕と一体感ができ、精神的な落ち着きが期待できる。
（３）また、頭部支持部，首部支持部，サイド部は、それぞれ袋状に形成され、その中に詰物を詰め込み膨出させたことで、枕の調整を容易にする。すなわち、詰物の量によって枕の高さを容易に変更できるからである。詰物には、ウールノップス，パイプ材，ビーズ材などを単独又は組み合わせて使用するとよい。
（４）枕用芯材の場合、１又は２以上の面ファスナーを備えることで、カバー部材とのずれを防止することができる。
【考案を実施するための最良の形態】
【０００８】
本考案の実施形態を図面に基づいて説明する。
図１は、本考案の実施形態を示す平面図である。なお、本実施形態では、枕用芯材を例に説明するが、枕の場合も同様である。
【０００９】
図１に示す枕用芯材１０は、カバー部材（図示省略）を被せることで枕を構成する枕用芯材である。まず、その中央部分に頭部を支持する頭部支持部２０と、頭部支持部２０の下端側に首部を支持する首部支持部３０を備える。また、頭部支持部２０および首部支持部３０の両側には、サイド部４０，４０を設ける。
【００１０】
図２は、カバー部材１９を被せた枕用芯材１０の使用状態を示す説明図であるが、この図２に示すように、頭部支持部２０はゆったりと頭の形にフィットし、それに続く首部支持部３０が首に負担をかけずに、正しい頸椎バランスを保つことができる。そして、サイド部４０，４０によって、横向き寝や寝返りをうっても頭をしっかりと支えることができるのである。
【００１１】
このような構成からなる枕用芯材１０の寸法の一例としては、横幅Ｘを７０ｃｍ、奥行きＹを３３〜４０ｃｍとするとよい。通常の枕より横幅を広くすることで、大きく寝返りをうってもしっかりと支えられ、通常の枕より奥行きを浅くすることで、頭部の熱をよりスムーズに逃がすことができるからである。
【００１２】
さらに、本枕用芯材１０には、以下のような工夫が加えられている（図１と２参照）。
第一に、頭部支持部２０には、その縦中心線上に凹状の後頭部フィットライン２１を形成する。後頭部フィットライン２１を形成したことで、枕と後頭部のなじみが良くなり、寝返り時もスムーズに頭を動かすことができる。
第二に、頭部支持部２０と首部支持部３０の境目を湾曲させて首フィットライン１１を形成する。首フィットライン１１を形成したことで、枕と首のラインがフィットし、違和感なく楽に仰向け寝ができる。
第三に、枕用芯材１０の下端側１３を湾曲させて肩フィットライン１４を形成する。肩フィットライン１４を形成したことで、枕と肩ラインがフィットすることにより枕と一体感ができ、精神的な落ち着きが期待できる。
【００１３】
このような枕用芯材１０は、その頭部支持部２０，首部支持部３０，サイド部４０，４０をそれぞれ袋状に形成し、その中に詰物を詰め込み膨出させるようにしている。図３は図１のＡ−Ａ断面図、図４は図１のＢ−Ｂ断面図であり、いずれも詰物を詰め込み膨出した様子を示している。
【００１４】
ここで、上記のように詰物を使用することで、枕の調整を容易にする。例えば、枕の調整は、実際にこの枕用芯材１０を使用した枕に寝てみて、以下の点などをチェックし、いずれかに該当する場合に行われる。
（１）首に圧迫感があるか？→  首部支持部３０の確認（チェック）
（２）仰向け時に目線が真上を向いているか？→  頭部支持部２０の確認（チェック）
（３）横を向いた時に首が曲がっていないか？→  サイド部４０の確認（チェック）
そして、枕の調整が必要な場合には、枕用芯材１０中の詰物を出し入れするだけで、高さを自由に変更でき、首や肩に圧迫がない腹式呼吸（深呼吸）のできる姿勢を容易に作り出すことができる。
【００１５】
詰物には、ウールノップス，パイプ材，ビーズ材などを単独又は組み合わせて使用するとよい。ただし、詰物はこれらに限られるものではない。
「ウールノップス」とは、天然羊毛わたを小さな球状に加工したものであって、抜群の吸湿・発散性をもっている。また、フィット性にも優れているので、頭や首を自然に支え、正しい頸椎バランスを保つことができる。さらに、家庭内でも手洗いでき、汚れやすい枕を清潔に保つことができる。
「パイプ材」とは、小さく短いパイプ状の樹脂材であり、通気性に優れ、蒸れずにサラッとした快適感を得られる。粒が細かく流動性があるので、頭・首の形状にフィットするとともに、復元快復力に富み、耐久性が良く長時間使用しても枕の高さが変わらない。
「ビーズ材」とは、小さく球状の樹脂材であり、流動性に優れているので通気性、放熱性が抜群である。また、軽量でビーズの触れ合う音も小さく、頭を点で支えるので自然なフィットが得られるとともに、復元快復力に富み、耐久性が良く長時間使用しても枕の高さが変わらない。なお、「パイプ材」および「ビーズ材」もノミやダニを寄せ付けず、ホコリが出にくいので、アレルギー体質に対しても安心である。
「組み合わせての使用」には、例えば、頭部支持部２０および首部支持部３０にはパイプ材を、サイド部４０，４０にはビーズ材を使用するなどが考えられる。
【００１６】
その他、カバー部材と枕用芯材１０のずれを防止するために、１又は２以上の面ファスナーを備えるとよい。例えば、図１に示すように、頭部支持部２０，首部支持部３０，サイド部４０，４０それぞれに面ファスナー１８，１８，１８，１８を備えることもよい。
また、枕用芯材１０の生地には通気性の良いメッシュ製のものが好ましいが、これに限られるものではない。
【産業上の利用可能性】
【００１７】
本考案の構造は、カバー部材を用いることで枕を構成する枕用芯材として、あるいは、そのまま枕として利用できるものであり、広く理想的な正しい睡眠をとるために利用されるものである。
【図面の簡単な説明】
【００１８】
【図１】本考案の実施形態を示す平面図。
【図２】本考案の使用状態を示す説明図。
【図３】図１のＡ−Ａ断面図。
【図４】図１のＢ−Ｂ断面図。
【符号の説明】
【００１９】
１０  枕用芯材        １１  首フィットライン    １３  下端側
１４  肩フィットライン    １８  面ファスナー    １９  カバー部材
２０  頭部支持部      ２１  後頭部フィットライン
３０  首部支持部      ４０  サイド部
【図１】
0003109464.tif 000003
【図２】
0003109464.tif 000004
【図３】
0003109464.tif 000005
【図４】
0003109464.tif 000006